(57)【要約】【課題】軽量で環境への負荷が小さく、しかも陳列・収納する物品の多様化に対応することができ、陳列・収納台自体のデザインの自由度も大きい、優れた物品陳列・収納台を提供する。【解決手段】型成形して凹凸形状が付与された樹脂製シート材からなるベース部材２０と、これを被覆する紙製カバー部材とからなり、上記ベース部材２０に、線状境界部５０を挟んで二つの膨出部１３ａ、１６ａが設けられ、各膨出部１３ａ、１６ａには、物品陳列・収納用の凹部１０等が形成されている。そして、一方の膨出部１６ａが、他方の膨出部１３ａ側に向かって折り立てられ、互いの立ち上がり面３２、３６が当接することにより、上記膨出部１６ａが直立姿勢になり、その状態で、上記物品陳列・収納用の凹部１０等に物品が陳列もしくは収納されるようになっている。【選択図】図２
2014195614.tif 000002
【特許請求の範囲】
【請求項１】
物品を陳列もしくは収納するための陳列・収納台であって、型成形によって凹凸形状が付与された樹脂製シート材からなるベース部材と、上記ベース部材の外表面の少なくとも一部を被覆するための紙製カバー部材とを備え、
上記ベース部材には、所定の領域が上向きに膨出した膨出部が少なくとも二つ並んで設けられ、その膨出した頂面に物品陳列用もしくは物品収納用の凹部が形成されているとともに、並設された二つの膨出部の間に、片方の膨出部を他方の膨出部に向かって折り立てるための線状境界部が設けられており、
上記線状境界部を挟んで対峙する両膨出部の立ち上がり面がともに傾斜状に形成され、  上記二つの膨出部のうち片方の膨出部が、上記線状境界部を回動中心として他方の膨出部側に向かって折り立てられ、折り立てられた方の膨出部の傾斜した立ち上がり面が他方の膨出部の傾斜した立ち上がり面に当接して直立姿勢もしくは傾斜姿勢となった状態で固定され、その状態で、上記物品陳列用もしくは物品収納用の凹部に物品が陳列もしくは収納されるようになっていることを特徴とする物品陳列・収納台。
【請求項２】
物品を陳列もしくは収納するための陳列・収納台であって、型成形によって凹凸形状が付与された樹脂製シート材からなるベース部材と、上記ベース部材の外表面の少なくとも一部を被覆するための紙製カバー部材とを備え、
上記ベース部材には、所定の領域が上向きに膨出した膨出部が少なくとも二つ並んで設けられ、その膨出した頂面に物品陳列用もしくは物品収納用の凹部が形成されているとともに、並設された二つの膨出部の間に、二つの膨出部の少なくとも一方を垂直に折り立てるための帯状境界部が設けられており、
上記帯状境界部を挟んで対峙する両膨出部の少なくとも一方の立ち上がり面が垂直状に形成され、
上記二つの膨出部のうち、立ち上がり面が垂直状に形成された少なくとも一方の膨出部が、上記帯状境界部との境界線を回動中心として垂直に折り立てられ、折り立てられた膨出部の垂直な立ち上がり面が上記帯状境界部に当接して直立姿勢となった状態で固定され、その状態で、上記物品陳列用もしくは物品収納用の凹部に物品が陳列もしくは収納されるようになっていることを特徴とする物品陳列・収納台。
【請求項３】
上記ベース部材において、直立姿勢もしくは傾斜姿勢に折り立てられた膨出部の頂面に形成された物品陳列用もしくは物品収納用の凹部が、膨出部の頂面と側面にまたがって開口する切欠き形状になっている請求項１または２記載の物品陳列・収納台。
【請求項４】
上記ベース部材において、直立姿勢もしくは傾斜姿勢に折り立てられた膨出部の、物品陳列用もしくは物品収納用の凹部が形成された頂面が、紙製カバー部材によって被覆されており、上記膨出部の頂面と側面にまたがって開口する凹部の、側面に開口する部分が、物品陳列用もしくは物品収納用の開口として用いられるようになっている請求項３記載の物品陳列・収納台。
【発明の詳細な説明】
【技術分野】
【０００１】
本発明は、紙材と樹脂材とを組み合わせた物品陳列・収納台に関するものである。
【背景技術】
【０００２】
近年、化粧品等の販売は、店員が顧客に注文や要望を聞きながら販売する対面方式から
、陳列棚や陳列台に並ぶ商品を顧客自身が手にとってレジで購入するセルフ方式が主流と
なってきている。そして、このようなセルフ方式の店舗では、販売する商品だけでなく、
顧客に試用させるためのテスターを陳列するため、季節ごと、あるいは新商品発売のキャ
ンペーンごとに、専用の陳列台を用意することが多い。
【０００３】
このような物品陳列台の一例を図１２に示す。この陳列台は、大小様々な陳列用の凹部
１〜５が設けられており、それらの凹部１〜５内に、口紅、ファンデーション、マニキュ
ア等の多数のテスターを見栄えよく、コンパクトに陳列することができるようになってい
る（特許文献１を参照）。
【０００４】
しかしながら、このような物品陳列台は、全体がブロー成形や射出成形によって一体成
形されており、一定の強度を確保するために、どの部分も比較的厚肉に設定されている（
例えば２〜３ｍｍ程度）。このため、全体重量が重く、搬送や設置に手間を要するという
問題がある。また、ブロー成形や射出成形において上下方向に型を抜く場合、賦形するこ
とのできる凹部の深さに限界があり、背の高い商品を安定して保持できるような深い凹部
を成形することができないという問題もある。さらに、このような陳列台は、季節の変化
や新商品キャンペーンの終了とともに廃棄処分され、つぎの商品を陳列する新しい陳列台
に交換されるため、リサイクルできない樹脂を多用した成形品は、環境保全の点から好ま
しくないという問題もある。
【０００５】
そこで、環境への配慮、低コスト化、軽量化等の観点から、陳列台の一部もしくは全部
を紙材で置き換えたものが提案され、汎用されるようになっている（特許文献２、３を参
照）。
【先行技術文献】
【特許文献】
【０００６】
【特許文献１】特開２００３−１４４２７９号公報
【特許文献２】特開２００１−１４９１８９号公報
【特許文献３】特開２００５−１７７３６９号公報
【発明の概要】
【発明が解決しようとする課題】
【０００７】
しかしながら、多種多様な商品やテスターを陳列するために用いられる陳列台において
は、商品陳列用の凹部を商品の形状に合わせて複雑な曲面にしたり、陳列面を傾斜させた
り、段差を多く設けたりする必要から、その全てを紙材で構成することは手間とコストが
かかり、実用的でない。そのため、依然として、陳列台の大部分に、ブロー成形や射出成
形によって成形された、比較的厚みの厚い樹脂成形品が用いられており、その改善が強く
望まれている。
【０００８】
本発明は、このような事情に鑑みてなされたもので、軽量で環境への負荷が小さく、し
かも陳列・収納する物品の多様化に対応することができ、陳列・収納台自体のデザインの
自由度も大きい、優れた物品陳列・収納台の提供をその目的とする。
【課題を解決するための手段】
【０００９】
上記の目的を達成するため、本発明は、物品を陳列もしくは収納するための陳列・収納
台であって、型成形によって凹凸形状が付与された樹脂製シート材からなるベース部材と
、上記ベース部材の外表面の少なくとも一部を被覆するための紙製カバー部材とを備え、
上記ベース部材には、所定の領域が上向きに膨出した膨出部が少なくとも二つ並んで設け
られ、その膨出した頂面に物品陳列用もしくは物品収納用の凹部が形成されているととも
に、並設された二つの膨出部の間に、片方の膨出部を他方の膨出部に向かって折り立てる
ための線状境界部が設けられており、上記線状境界部を挟んで対峙する両膨出部の立ち上
がり面がともに傾斜状に形成され、上記二つの膨出部のうち片方の膨出部が、上記線状境
界部を回動中心として他方の膨出部側に向かって折り立てられ、折り立てられた方の膨出
部の傾斜した立ち上がり面が他方の膨出部の傾斜した立ち上がり面に当接して直立姿勢も
しくは傾斜姿勢となった状態で固定され、その状態で、上記物品陳列用もしくは物品収納
用の凹部に物品が陳列もしくは収納されるようになっている物品陳列・収納台を第１の要
旨とする。
【００１０】
また、本発明は、物品を陳列もしくは収納するための陳列・収納台であって、型成形に
よって凹凸形状が付与された樹脂製シート材からなるベース部材と、上記ベース部材の外
表面の少なくとも一部を被覆するための紙製カバー部材とを備え、上記ベース部材には、
所定の領域が上向きに膨出した膨出部が少なくとも二つ並んで設けられ、その膨出した頂
面に物品陳列用もしくは物品収納用の凹部が形成されているとともに、並設された二つの
膨出部の間に、二つの膨出部の少なくとも一方を垂直に折り立てるための帯状境界部が設
けられており、上記帯状境界部を挟んで対峙する両膨出部の少なくとも一方の立ち上がり
面が垂直状に形成され、上記二つの膨出部のうち、立ち上がり面が垂直状に形成された少
なくとも一方の膨出部が、上記帯状境界部との境界線を回動中心として垂直に折り立てら
れ、折り立てられた膨出部の垂直な立ち上がり面が上記帯状境界部に当接して直立姿勢と
なった状態で固定され、その状態で、上記物品陳列用もしくは物品収納用の凹部に物品が
陳列もしくは収納されるようになっている物品陳列・収納台を第２の要旨とする。
【００１１】
さらに、本発明は、それらのなかでも、特に、上記ベース部材において、直立姿勢もし
くは傾斜姿勢に折り立てられた膨出部の頂面に形成された物品陳列用もしくは物品収納用
の凹部が、膨出部の頂面と側面にまたがって開口する切欠き形状になっている物品陳列・
収納台を第３の要旨とし、そのなかでも、特に、上記ベース部材において、直立姿勢もし
くは傾斜姿勢に折り立てられた膨出部の、物品陳列用もしくは物品収納用の凹部が形成さ
れた頂面が、紙製カバー部材によって被覆されており、上記膨出部の頂面と側面にまたが
って開口する凹部の、側面に開口する部分が、物品陳列用もしくは物品収納用の開口とし
て用いられるようになっている物品陳列・収納台を第４の要旨とする。
【発明の効果】
【００１２】
すなわち、本発明の物品陳列・収納台は、真空成形等の型成形によって凹凸形状が付与
された樹脂製シート材をベース部材として用い、その凹凸形状のうち、二つ並ぶ膨出部の
少なくとも片方を折り立てることにより、物品陳列・収納台のベースとなる形をつくり、
これを紙材で被覆して、見栄えよくしたものである。この構成によれば、厚みがごく薄い
樹脂製シート材（例えば厚みが０．１〜０．８ｍｍ程度）を台全体のベースとし、これを
紙材と組み合わせただけのものであるため、非常に軽量で取り扱いやすいものとなる。そ
して、従来のブロー成形品や射出成形品に比べて樹脂材の使用量を大幅に低減することが
でき、しかも型成形による凹凸の賦形が容易であるため、製造コストが安くなる。また、
これを廃棄しても環境への負荷が小さいという利点がある。もちろん、紙材を剥がして新
しいものに交換し、内側のベース部材はそのまま再利用することによって、より環境に優
しい、経済的な物品陳列・収納台を提供することができる。
【００１３】
そして、本発明の物品陳列・収納台における、物品陳列・収納用の凹部は、樹脂製シー
ト材を型成形する際に、膨出部の頂面において、面方向に沿って延びる凹部を形成してお
き、この膨出部を垂直もしくは所定の角度に折り立てることによって作製することができ
るため、凹部の形状や深さ、配置に制限がなく、さまざまなバリエーションの凹部を簡単
に得ることができる。したがって、陳列・収納する物品の多様化に容易に対応することが
でき、また陳列・収納台自体のデザインの自由度も大きい、という利点を有している。と
りわけ、上下に型を抜いて直接陳列用凹部を賦形するという従来法では、その深さに限界
があったところ、本発明では、型成形によって水平方向に延びる凹部を形成し、その凹部
が形成された膨出部を直立姿勢もしくは傾斜姿勢に折り立てて物品陳列・収納台として用
いるため、上記凹部の延びる方向を水平方向から垂直方向もしくは傾斜方向に変えて深さ
の深い凹部を得ることができる。したがって、細長い棒状のテスター等を陳列するのに適
した物品陳列・収納台を、簡単に得ることができる。
【００１４】
なお、上記膨出部を折り立てて陳列面をつくる方法としては、下記の二通りの方法があ
げられる。すなわち、まず第１の方法としては、樹脂製シート材からベース部材となる成
形品をつくる際、線状境界部を挟んで対峙する二つの膨出部を形成し、片方の膨出部を、
上記線状境界部を回動中心として折り立て、その片方の膨出部の立ち上がり面を他方の膨
出部の立ち上がり面に当接させて直立姿勢もしくは傾斜姿勢にする方法である。また第２
の方法としては、同じくベース部材となる成形品をつくる際、帯状境界部を挟んで対峙
する二つの膨出部を形成し、片方の膨出部を、上記帯状境界部との境界線を回動中心とし
て折り立て、その片方の膨出部の立ち上がり面を上記帯状境界部に当接させて直立姿勢も
しくは傾斜姿勢にする方法である。これらいずれの方法によっても、簡単に、複雑な凹凸
形状を有する物品陳列・収納台を得ることができる。
【００１５】
そして、本発明のなかでも、特に、上記ベース部材において、直立姿勢もしくは傾斜姿
勢に折り立てられた膨出部の頂面に形成された物品陳列用もしくは物品収納用の凹部が、
膨出部の頂面と側面にまたがって開口する切欠き形状になっているものは、直立姿勢もし
くは傾斜姿勢になった膨出部において、その開口した切欠き部を利用して物品の陳列・収
納を行うことができ、より使い勝手のよいものとなる。
【００１６】
また、そのなかでも、特に、上記ベース部材において、直立姿勢もしくは傾斜姿勢に折
り立てられた膨出部の、物品陳列用もしくは物品収納用の凹部が形成された頂面が、紙製
カバー部材によって被覆されており、上記膨出部の頂面と側面にまたがって開口する凹部
の、側面に開口する部分が、物品陳列用もしくは物品収納用の開口として用いられるよう
になっているものは、直立姿勢もしくは傾斜姿勢になった膨出部において、その開口した
切欠きを利用して物品の陳列・収納を行う際、そのままでは物品が脱落しやすい形であっ
ても、上記膨出部の頂面部分を被覆する紙製カバー部材が、凹部内から物品が脱落するの
を防止するため、好適である。
【図面の簡単な説明】
【００１７】
【図１】本発明の一実施の形態である物品陳列台を示す斜視図である。
【図２】上記物品陳列台に用いられるベース部材を示す斜視図である。
【図３】上記物品陳列台に用いられる一方の紙製カバー部材を示す展開図である。
【図４】上記物品陳列台に用いられる他方の紙製カバー部材を示す展開図である。
【図５】上記ベース部材を平たく開いた状態を示す説明図である。
【図６】（ａ）は図５のＡ−Ａ′断面を示す説明図、（ｂ）は上記ベース部材の一方の膨出部を折り立てた状態を示す説明図である。
【図７】上記ベース部材に紙製カバー部材を取り付けた状態を示す部分的な説明図である。
【図８】上記ベース部材に紙製カバー部材を取り付けた状態を示す他の説明図である。
【図９】（ａ）、（ｂ）はともに上記物品陳列台におけるベース部材の折り立て方の変形例を示す模式的な説明図である。
【図１０】（ａ）は本発明の他の実施の形態である物品陳列台を構成するベース部材を平たく開いた状態を示す説明図、（ｂ）は上記ベース部材の一方の膨出部を折り立てた状態を示す説明図、（ｃ）はその斜視図、（ｄ）は上記ベース部材を被覆する紙製カバー部材の説明図である。
【図１１】（ａ）は本発明のさらに他の実施の形態である物品陳列台を構成するベース部材を平たく開いた状態を示す説明図、（ｂ）は上記ベース部材の隣り合う二つの膨出部を折り立てた状態を示す説明図、（ｃ）はその斜視図である。
【図１２】従来の物品陳列台の一例を示す斜視図である。
【発明を実施するための形態】
【００１８】
つぎに、本発明の実施の形態を、図面にもとづいて詳しく説明する。ただし、本発明は
、以下の実施の形態に限定されるものではない。
【００１９】
図１は、本発明を、メイクアップ化粧料のテスター陳列台に適用した一実施の形態を示
す斜視図である。この陳列台は、手前側に、ファンデーションやフェイスカラー、チーク
カラーといった浅皿状のテスターを陳列するための３種類の凹部１０、１１、１２を有す
る第１の陳列部１３が設けられ、奥側に、リップカラー等の棒状のテスター１４を陳列す
るための深い凹部１５が、所定個ずつ高さを変えて左右方向に並んだ状態で設けられた第
２の陳列部１６が設けられている。
【００２０】
より詳しく説明すると、この陳列台は、図２に示すような、全体の基本的な形状が賦形
された樹脂製のベース部材２０と、図３、図４に示すような、２種類の紙製カバー部材２
１、２２によって構成されている。そして、上記ベース部材２０のうち、第１の陳列部１
３を構成する部分（第１の膨出部）１３ａには、その陳列面となる面１７に、３種類の凹
部１０、１１、１２が設けられており、この面１７の上に重ねられる紙製カバー部材２１
（図１、図３を参照）の大きな開口２３から、これらの凹部１０、１１、１２がそのまま
露出するようになっている。
【００２１】
また、上記ベース部材２０の、第２の陳列部１６を構成する部分（第２の膨出部）１６
ａは、上記第１の陳列部１３を構成する部分（第１の膨出部）１３ａより背が高くなるよ
う設定されており、向かって左から右に階段状に並ぶ３つの陳列面２４、２５、２６と、
陳列面２６の右側において一段低く設定された陳列面２７とを備えている。そして、上記
陳列面２４、２５と陳列面２７の奥端面に、最も高い陳列面２６の上端面と高さを揃えた
背面部１８、１９が設けられている。
【００２２】
そして、各陳列面２４〜２７には、それぞれ、棒状のテスター１４を陳列するための凹
部１５（図１参照）となる半凹部１５ａが所定数ずつ形成されている。これらの半凹部１
５ａは、上記階段状の陳列面２４〜２７だけでなく、第２の陳列部１６の前端面２８側に
も開口しており、完全な凹部ではなく切欠き形状になっている（本発明において、「半凹
部」も「凹部」に含む趣旨である）。なお、上記階段状に並ぶ３つの陳列面２４、２５、
２６の左右の縁部と奥側の縁部は、所定高さだけ立ち上がっており、各陳列面２４、２５
、２６の縁部が、この立ち上がり部２９によって、平面視コ字状にガイドされている。
【００２３】
上記ベース部材２０は、例えばつぎのようにして得ることができる。すなわち、まず、
薄肉の樹脂製シート材（この例では厚み０．５ｍｍのポリエチレンテレフタレート製シー
ト材）を準備し、真空成形によって、図５に示すように、上記第１の陳列部１３となる第
１の膨出部１３ａと、上記第２の陳列部１６となる第２の膨出部１６ａとが一体的に賦形
された成形品３０を得る。
【００２４】
この成形品３０のうち、第１の膨出部１３ａは、陳列時に手前側（図において左側）と
なる面３１がやや後ろに傾斜したテーパ面となっており、その反対側の、第２の膨出部１
６ａと対峙する側の立ち上がり面３２が、手前に向かって４５°傾斜したテーパ面になっ
ている。また、陳列時に左右の側面となる面３３、３４は垂直面になっている。そして、
これら４つの面３１〜３４に支持される頂面３５に、前記３種類の凹部１０、１１、１２
が賦形されており、この頂面３５が陳列面１７（図２参照）となるようになっている。
【００２５】
また、上記第２の膨出部１６ａは、線状境界部５０を挟んで上記第１の膨出部１３ａと
並んで設けられており、上記第１の膨出部１３ａの立ち上がり面３２と対峙する立ち上が
り面３６が、手前側から奥側に向かって４５°の上り傾斜のテーパ面になっている。また
、陳列時に左右の側面となる面３７、３８は垂直面になっている。そして、この膨出部１
６ａの頂面３９は水平面になっており、その奥側の、端面４０にまたがる領域に、折り立
て時に階段状になる陳列面２４〜２７（図２参照）が垂直に形成されているとともに、そ
の各陳列面２４〜２７から、テスター陳列用の半凹部１５ａが水平に延びた状態で形成さ
れている（図２参照）。
【００２６】
そして、図５のＡ−Ａ′断面図である図６（ａ）に示すように、上記成形品３０の第２
の膨出部１６ａを、上記線状境界部５０を回動中心として回動させ、第１の膨出部１３ａ
側に折り立てることにより、図６（ｂ）に示すように、第２の膨出部１６ａの立ち上がり
面３６を第１の膨出部１３ａの立ち上がり面３２に当接させ、第２の膨出部１６ａを直立
姿勢に立てて固定する。固定は、当接する２つの立ち上がり面３２、３６を両面テープや
接着剤等で接着することによって行うことができる。また、全体の表面を、後述するよう
に紙製カバー部材２１、２２で被覆する際、紙製カバー部材２１、２２の固定によって、
全体を一体的に固定するようにしてもよい。
【００２７】
この姿勢によれば、上記第２の膨出部１６ａの、水平であった頂面３９が垂直面となり
、頂面３９奥側の、垂直な陳列面２４〜２７が水平面となる。そして、上記各陳列面２４
〜２７から、それぞれ半凹部１５ａが下向きに延びた形になる。このようにして、図２に
示す形態のベース部材２０を得ることができる。
【００２８】
そして、図７に示すように、上記ベース部材２０の、第１の膨出部１３ａの表面を、図
３に示す第１の紙製カバー部材２１で被覆し、同じく第２の膨出部１６ａの表面を、図４
に示す第２の紙製カバー部材２２で被覆することにより、図１に示す物品陳列台を得るこ
とができる。
【００２９】
なお、上記第１の紙製カバー部材２１は、図３において鎖線で示す折り目を全て山折り
することによって上記第１の膨出部１３ａの表面に沿う形となるため、これを両面テープ
や接着剤等で固定することにより、第１の膨出部１３ａと一体化することができる。
【００３０】
また同様に、上記第２の紙製カバー部材２２は、図４において、鎖線で示す折り目のう
ち、○印を付けた折り目を山折りし、×印を付けた折り目を谷折りすることによって上記
第２の膨出部１６ａの表面に沿う形になるため、これを両面テープや接着剤等で固定する
ことにより、第２の膨出部１６ａと一体化することができる。
【００３１】
なお、上記紙製カバー部材２１、２２の表面には、アイキャッチ効果の高い色や模様を
印刷することができる。またそのような色彩や柄を有する紙材を用いて作ることができる
。さらに、その正面を向いた部分や陳列面となる部分に、陳列するテスターに関連する商
品のキャッチコピーや商品情報を印刷表示することができる。
【００３２】
上記紙製カバー部材２２のうち、ベース部材２０の階段状の陳列面２４〜２７を被覆す
る部分には、図４に示すように、陳列面２４〜２７に設けられた半凹部１５ａの開口に対
応する配置で、平面視略四角状の切欠き穴４１と、円形の切欠き穴４２とが設けられてい
る。そして、上記紙製カバー部材２２の、正面から向かって右端の、上記切欠き穴４２が
設けられた面４３は、図７に示すように、ベース部材２０の陳列面２７に重なり、面４３
から延びる延長片４４は、ベース部材２０の背面部１９と重なるようになっている。そし
て、陳列面２７に開口する半凹部１５ａの正面開口部が紙製カバー部材２２で被覆される
ため、この内側に、比較的長い棒状のテスター１４ａを差し込んで陳列することができる
。
【００３３】
また、上記紙製カバー部材２２のうち、ベース部材２０の最も高い陳列面２６を被覆す
る部分は、図７において陳列面２７の後ろ側に見えているように、切欠き穴４１が設けら
れた面４５が、陳列面２６を囲う立ち上がり部２９の上面に重なり、上記切欠き穴４１が
、ベース部材２０の陳列面２６に開口する半凹部１５ａと対峙するようになっている（図
２、図４を参照）。そして、陳列面２６に開口する半凹部１５ａの正面開口部も、紙製カ
バー部材２２で被覆されるため、この内側に、棒状のテスター１４（図１参照）を差し込
んで陳列することができる。
【００３４】
さらに、上記紙製カバー部材２２のうち、ベース部材２０の、上記陳列面２６より一段
低い陳列面２５を被覆する部分は、図８に示すように、切欠き穴４１が設けられた面４６
が、陳列面２５を囲う立ち上がり部２９の上面に重なり、上記切欠き穴４１が、ベース部
材２０の陳列面２５に開口する半凹部１５ａと対峙するようになっている（図２、図４を
参照）。また、面４６から延びる延長片４７は、ベース部材２０の背面部１８と重なるよ
うになっている。そして、陳列面２５に開口する半凹部１５ａの正面開口部も、紙製カバ
ー部材２２で被覆されるため、陳列面２６の場合と同様、この内側に、棒状のテスター１
４を差し込んで陳列することができる。そしてさらに一段低い陳列面２４を被覆する紙製
カバー部材２２の構成も、陳列面２４が一段低く、背面部１８と重なる延長部４８の上下
方向の幅が大きくなる以外は、上記構成と同一になっており、その図示と説明を省略する
。
【００３５】
このように、上記物品陳列台は、薄肉の樹脂製シート材を真空成形して凹凸形状を付与
したベース部材２０と、紙製カバー部材２１、２２とを組み合わせただけのものであるた
め、非常に軽量で取り扱いやすくなっている。しかも、従来のブロー成形品や射出成形品
に比べて樹脂材の使用量を大幅に低減することができ、しかも型成形による凹凸の賦形が
容易であるため、製造コストが安いという利点を有する。また、これを廃棄しても環境へ
の負荷が小さいという利点がある。もちろん、紙製カバー部材２１、２２をベース部材２
０から剥がして新しいものに交換し、内側のベース部材２０はそのまま再利用すれば、よ
り環境に優しい、経済的な物品陳列台となる。
【００３６】
しかも、上記物品陳列台は、その物品陳列用の凹部１５が、樹脂製シート材を型成形に
よって賦形してなる膨出部（第２の膨出部１６ａ）の面方向に沿って延びる半凹部１５ａ
を、この膨出部１６ａを折り立てることによって角度を変えたものである。したがって、
凹部１５の形状や深さ、配置に制限がなく、さまざまなバリエーションの凹部１５を簡単
に得ることができる。このため、陳列・収納する物品の多様化に容易に対応することがで
き、また陳列・収納台自体のデザインの自由度も大きい、という利点を有している。とり
わけ、上下に型を抜いて直接陳列用凹部を賦形するという従来法では、その深さに限界が
あったのに対し、この物品陳列台によれば、型成形時に賦形する膨出部の面方向に沿って
長く延びる凹部を形成しておけば、その膨出部を折り立てるだけで、深さの深い凹部を簡
単に得ることができる。したがって、細長い棒状のテスター等を陳列するのに適した物品
陳列台を、低コストで簡単に得ることができる。
【００３７】
また、上記物品陳列台は、テスター１４、１４ａ等の物品を陳列するための凹部１５も
含め、凹凸形状が、真空成形によって賦形されており、凹凸の角部にＲがつくため、紙材
を組み立てて凹凸形成した陳列台のように角張っていない。したがって、テスター使用時
に液体や粉体等の中身がこぼれた場合や埃が溜まった場合等の拭き取りがしやすく、陳列
面を清浄に保つことができるという利点を有する。
【００３８】
なお、上記の例において、ベース部材２０に用いられる樹脂製シート材としては、型成
形によって賦形できる樹脂材料からなるものが用いられ、ポリエチレンテレフタレート（
ＰＥＴ）の他、例えばポリプロピレン（ＰＰ）、ポリエチレン（ＰＥ）、ポリスチレン（
ＰＳ）等の熱可塑性樹脂があげられる。なかでも、再生ＰＥＴを用いることが、コストお
よび省資源の点で好適である。
【００３９】
そして、上記樹脂製シート材の厚みも、上記の例に限らず、用いる材料および目的とす
るベース部材２０の大きさ等にもよるが、通常、０．１〜０．８ｍｍの範囲に設定するこ
とが好適である。すなわち、厚みが薄すぎると型成形が容易でなく、保形性の点でも好ま
しくない。逆に、厚みが厚すぎると、陳列台が重たいものとなり、取り扱いにくくなる上
、省資源の点からも好ましくない。
【００４０】
また、上記樹脂製シート材に凹凸形状を賦形してベース部材２０を得る成形方法として
は、真空成形の他、圧空成形やプレス成形等、樹脂製シート材を型成形によって凹凸形状
を賦形する各種の成形方法を用いることができる。
【００４１】
一方、ベース部材２０を被覆する紙製カバー部材２１、２２の材料としては、紙材であ
ればどのようなものであってもよいが、例えば０．１〜２．０ｍｍ程度の厚みであること
が、ベース部材２０に沿う形状に折ったり切り目を入れたりする作業性の点で好適である
。また、その表面に、文字や模様を印刷する場合は、その表面が平滑で、印刷特性に優れ
ているものが好適である。もちろん、デザイン的な点から、和紙テイストのものや、毛羽
立ったもの、予め細かい凹凸模様が付与されたもの等を用いることもできる。
【００４２】
さらに、上記の例では、ベース部材２０に用いる成形品３０において、第１の膨出部１
３ａと第２の膨出部１６ａの傾斜した立ち上がり面３２、３６を利用して、第２の膨出部
１６ａを直立させるようにしたが（図６を参照）、互いに当接させる立ち上がり面３２、
３６の傾斜角度は、必ずしも上記の例のように４５°にする必要はない。
【００４３】
例えば、図９（ａ）に示すように、第１の膨出部１３ａの、第２の膨出部１６ａと当接
させる立ち上がり面３２の角度を４５°とし、第２の膨出部１６ａの、上記立ち上がり面
３２と当接させる立ち上がり面３６の角度を４５°より大きい角度（例えば６０°）にす
れば、第２の膨出部１６ａを、やや後方に傾いた傾斜姿勢にすることができる。この場合
も、上記の例と同様の紙製カバー部材２１、２２によって、その表面を被覆する。
【００４４】
また、図９（ｂ）に示すように、第１の膨出部１３ａ、第２の膨出部１６ａの、互いに
当接させる立ち上がり面３２、３６を、ともに４５°より大きい角度にして、より後方に
傾いた傾斜姿勢にしてもよい。この構成によれば、第２の膨出部１６ａに形成された半凹
部１５ａの前面を、紙製カバー部材２２によって被覆しなくても、テスター１４を斜めに
安定して保持することができるため、テスター１４全体を見せた状態で陳列することがで
きる。
【００４５】
また、本発明の他の例として、例えば図１０（ａ）に示すように、ベース部材２０に用
いる成形品３０′として、互いに対峙する立ち上がり面３２、３６がともに垂直に設定さ
れた第１の膨出部１３ａと第２の膨出部１６ａとを、上記立ち上がり面３２、３６の高さ
（立ち上がり幅）と同じ距離だけ離して成形したものを用いることができる。この成形品
３０′によれば、二つの膨出部１３ａ、１６ａの間に、平坦な帯状境界部６０が設けられ
ており、図１０（ｂ）に示すように、上記第２の膨出部１６ａを、上記帯状境界部６０と
の境界線Ｐを回動中心として第１の膨出部１３ａ側に折り立てることにより、図１０（ｃ
）に示すようなベース部材２０′を得ることができる。なお、これらの図において、図２
に示すベース部材２０と同様の部分に同一の番号を付して、その説明を省略する。
【００４６】
そして、例えば図１０（ｄ）に示すような紙製カバー部材（折り立て後の形状を部分的
に示す）２２′を取り付けることによって、目的とする物品陳列台を得ることができる。
なお、上記紙製カバー部材２２′には、ベース部材２０′の陳列面２６に開口する半凹部
１５ａと重なる切欠き穴６１が設けられた面６２と、その後端縁から立ち上がる背面部６
３とが設けられており、この背面部６３に、宣伝広告等を表示できるようになっている。
【００４７】
また、さらに他の例として、例えば図１１（ａ）に示すように、ベース部材２０に用い
る成形品３０″として、互いに対峙する立ち上がり面３２、３６がともに垂直に設定され
た第１の膨出部１３ａと第２の膨出部１６ａとを、上記立ち上がり面３２、３６の高さ（
立ち上がり幅）の略２倍の距離だけ離して成形したものを用いることができる。この成形
品３０″によれば、二つの膨出部１３ａ、１６ａの間に、幅の広い帯状境界部７０が設け
られており、図１１（ｂ）に示すように、上記二つの膨出部１３ａ、１６ａを、上記帯状
境界部７０との境界線Ｐ、Ｑを回動中心として互いに相手側に向かって折り立てることに
より、図１１（ｃ）に示すようなベース部材２０″を得ることができる。なお、上記二つ
の膨出部１３ａ、１６ａには、その成形時に、それぞれ膨出する頂面から立ち上がり端面
にかけて開口する凹部７１、７２が形成されており〔図１１（ａ）を参照〕、二つの膨出
部１３ａ、１６ａを折り立てた状態で、両凹部７１、７２を突き合わせることにより、上
向きに大きな開口を有する凹部７３が形成されるようになっている。
【００４８】
したがって、このベース部材２０″を紙製カバー部材（図示せず）で被覆すれば、非常
に安定した物品陳列台となるため、上記凹部７３内に、大型の商品模型等を嵌め込んで陳
列することにより、非常にアイキャッチ効果の高いＰＯＰをつくることができる。
【００４９】
また、図１１（ｃ）に示す成形品３０″を、より前後に薄く左右に長くして、凹部７３
に代えて、小さな凹部を多数、左右に並べて形成することにより、商品やテスターを並べ
て陳列することのできる陳列台に用いることができる。あるいは、上記凹部７３よりも大
きな開口を有する凹部を形成することにより、多数の商品をストックすることのできる収
納台に用いることができる。
【００５０】
さらに、例えば、前述の図５に示すような成形品３０と、図１１に示すような成形品と
を、一枚の樹脂製シート材を用いて一続きで賦形することにより、手前に２段の陳列部を
有し、奥側にもう１段高い陳列部（もしくは収納部）を有する、多段の陳列台を簡単に得
ることができる。
【００５１】
なお、本発明の物品陳列・収納台は、低コストで製造することができ、焼却処分時の環
境負荷も小さいことから、キャンペーンやイベントごとに使い捨ててもよいが、ベース部
材２０（２０′、２０″を含む）をそのまま利用して紙製カバー部材２１、２２等を交換
すれば、破棄する部分が紙材だけですみ、さらに環境負荷を軽減することができ、好適で
ある。
【産業上の利用可能性】
【００５２】
本発明は、樹脂製シート材と紙材との組み合わせからなり、軽量で環境への負荷が小さ
く、しかも陳列・収納する物品の多様化に対応することができ、陳列・収納台自体のデザ
インの自由度も大きい物品陳列・収納台に利用することができる。
【符号の説明】
【００５３】
１０、１１、１２  凹部
１３ａ  第１の膨出部
１５ａ  半凹部
１６ａ  第２の膨出部
２０  ベース部材
３２、３６  立ち上がり面
５０  線状境界部
【図１】
2014195614.tif 000003
【図２】
2014195614.tif 000004
【図３】
2014195614.tif 000005
【図４】
2014195614.tif 000006
【図５】
2014195614.tif 000007
【図６】
2014195614.tif 000008
【図７】
2014195614.tif 000009
【図８】
2014195614.tif 000010
【図９】
2014195614.tif 000011
【図１０】
2014195614.tif 000012
【図１１】
2014195614.tif 000013
【図１２】
2014195614.tif 000014